(57)【要約】【課題】隣り合う２つのカバー間に生じる暗がりを低減させる。【解決手段】第１カバー２３は、透光性材料により長尺に形成され、且つ基板２２１を覆うようにして取付部材２１に取り付けられる。第２カバー２６は、透光性材料により第１カバー２３に取付可能な相似形状に形成され、且つ第１カバー２３の長手方向における端部に着脱自在に取り付けられる。第１カバー２３は、幅方向において取付部材２１よりも外側に突出する突出部２３２を有している。第２カバー２６は、第１カバー２３に取り付けられた状態で突出部２３２に引っ掛けられる引掛部２６１を有している。【選択図】図１
2015176747.tif 000002
【特許請求の範囲】
【請求項１】
１乃至複数の発光素子が実装された基板と、
長尺に形成され、且つ前記基板が取り付けられる取付部材と、
透光性材料により長尺に形成され、且つ前記基板を覆うようにして前記取付部材に取り付けられる第１カバーとを備え、
長尺に形成された器具本体の長手方向と同じ方向を長手方向とし、且つ前記器具本体の幅方向と同じ方向を幅方向とした状態で前記器具本体に取り付けられる光源ユニットであって、
透光性材料により前記第１カバーに取付可能な相似形状に形成され、且つ前記第１カバーの長手方向における端部に着脱自在に取り付けられる第２カバーを備え、
前記第１カバーは、幅方向において前記取付部材よりも外側に突出する突出部を有し、
前記第２カバーは、前記第１カバーに取り付けられた状態で前記突出部に引っ掛けられる引掛部を有していることを特徴とする光源ユニット。
【請求項２】
前記第２カバーは、少なくとも前記第１カバーと重なる部位の透過率が前記第１カバーの透過率よりも高くなっていることを特徴とする請求項１記載の光源ユニット。
【請求項３】
前記第２カバーは、前記第１カバーよりも撓みやすい材料により形成されていることを特徴とする請求項１記載の光源ユニット。
【請求項４】
請求項１〜３の何れか１項に記載の光源ユニットと、前記器具本体とを備えていることを特徴とする照明器具。
【発明の詳細な説明】
【技術分野】
【０００１】
本発明は、一般に光源ユニット及びそれを用いた照明器具に関し、より詳細には発光素子を光源とする光源ユニット及びそれを用いた照明器具に関する。
【背景技術】
【０００２】
従来、天井面に取り付けられる天井直付け型の照明器具が提供されている（例えば特許文献１参照）。特許文献１に記載された照明器具は、横長且つ長尺に形成された器具本体と、器具本体に取り付けられる光源部とを備える。光源部は、横長且つ長尺に形成された取付部材と、複数の発光素子が実装された基板と、透光性材料により形成されたカバーとを具備する。
【０００３】
取付部材は、平坦且つ長尺に形成された底壁と、底壁の幅方向における両側から底壁と直交する方向に立ち上がる一対の側壁とを有し、ねじ止め等によって基板が底壁に取り付けられる。カバーは、長尺且つ半円筒状に形成され、基板を覆うようにして取付部材に取り付けられる。
【先行技術文献】
【特許文献】
【０００４】
【特許文献１】特開２０１２−３９９３号公報
【発明の概要】
【発明が解決しようとする課題】
【０００５】
上述の特許文献１に示した照明器具は、天井面に取り付けられた器具本体に対して光源部を取り付ける構造であるため、例えば取付性や意匠性などを考慮して、光源部の長手寸法及び幅寸法を器具本体の長手寸法及び幅寸法よりも小さくするのが一般的である。
【０００６】
そして、オフィスなどの施設において複数の照明器具を長手方向に並べて設置した場合には、隣り合う２つのカバー間に隙間が生じ、且つこの隙間には光源が存在しないため、照明器具を点灯させた際に暗がりが生じてしまう。その結果、照明器具を含めた空間全体としての意匠性が低下するという問題があった。
【０００７】
本発明は上記問題点に鑑みて為されており、隣り合う２つのカバー間に生じる暗がりを低減させた光源ユニット及びそれを用いた照明器具を提供することを目的とする。
【課題を解決するための手段】
【０００８】
本発明の光源ユニットは、１乃至複数の発光素子が実装された基板と、長尺に形成され、且つ前記基板が取り付けられる取付部材と、透光性材料により長尺に形成され、且つ前記基板を覆うようにして前記取付部材に取り付けられる第１カバーとを備え、長尺に形成された器具本体の長手方向と同じ方向を長手方向とし、且つ前記器具本体の幅方向と同じ方向を幅方向とした状態で前記器具本体に取り付けられる光源ユニットであって、透光性材料により前記第１カバーに取付可能な相似形状に形成され、且つ前記第１カバーの長手方向における端部に着脱自在に取り付けられる第２カバーを備え、前記第１カバーは、幅方向において前記取付部材よりも外側に突出する突出部を有し、前記第２カバーは、前記第１カバーに取り付けられた状態で前記突出部に引っ掛けられる引掛部を有していることを特徴とする。
【０００９】
この光源ユニットにおいて、前記第２カバーは、少なくとも前記第１カバーと重なる部位の透過率が前記第１カバーの透過率よりも高くなっているのが好ましい。
【００１０】
また、この光源ユニットにおいて、前記第２カバーは、前記第１カバーよりも撓みやすい材料により形成されているのも好ましい。
【００１１】
本発明の照明器具は、上記光源ユニットと、前記器具本体とを備えていることを特徴とする。
【発明の効果】
【００１２】
本発明の構成によれば、複数の照明器具を長手方向に並べて設置した場合に生じる第１カバー間の隙間を覆うように第２カバーを取り付けることで、発光素子から放射される光を第２カバーを通して照明空間側に照射することができる。これにより、上記隙間に生じる暗がりを低減することができ、その結果、照明器具を含めた空間全体の意匠性が低下するのを抑えることができる。
【図面の簡単な説明】
【００１３】
【図１】本実施形態の光源ユニットを用いた照明器具の一部省略せる断面図である。
【図２】（ａ）、（ｂ）は本実施形態の光源ユニットを用いた照明器具の要部拡大図である。
【図３】本実施形態の光源ユニットを用いた照明器具の分解斜視図である。
【図４】本実施形態の光源ユニットを用いた照明器具の全体斜視図である。
【発明を実施するための形態】
【００１４】
本発明に係る光源ユニット及びそれを用いた照明器具の実施形態について、図１〜図４を参照しながら具体的に説明する。なお、以下の説明では特に断りがない限り、図３において上下、前後、左右の各方向を規定する。したがって、器具本体１の長手方向が前後方向となり、器具本体１の幅方向が左右方向となる。
【００１５】
本実施形態の照明器具１０は、例えば天井直付け型の照明器具であり、吊ボルト（図示せず）を用いて天井材（図示せず）に取り付けられる器具本体１と、器具本体１に対して着脱自在に取り付けられる光源ユニット２とを備える。
【００１６】
器具本体１は、図３に示すように、板金に曲げ加工することで長尺且つ上面が開口する扁平な箱状に形成され、器具本体１の下面側には、光源ユニット２を収容するための矩形の凹部１１が全長に亘って設けられている。また、器具本体１の凹部１１の左右両側には、凹部１１の開口端縁から斜め上方に傾斜する傾斜部１２，１２がそれぞれ設けられている。
【００１７】
また、凹部１１の底面部１１１には、電線を通すための孔１１１０が前後方向（長手方向）に沿って複数（図３では３個）設けられるとともに、吊ボルトを通すための孔１１１１が前後方向における両端側にそれぞれ２個ずつ設けられている。この器具本体１は、天井材から露出する吊ボルトを孔１１１１に通した後、吊ボルトにナットをねじ込むことで天井材に固定される。なお、施工手順については後述する。
【００１８】
光源ユニット２は、図３に示すように、２つのＬＥＤモジュール２２と、取付部材２１と、第１カバー２３と、２つ（図３では片側のみ図示）のエンドカバー２４と、電源装置２５と、第２カバー２６（図１参照）とを備える。
【００１９】
ＬＥＤモジュール２２は、前後方向に長い矩形板状に形成された基板２２１を有し、基板２２１の一面（下面）には、複数のＬＥＤ２２２（発光素子）が前後方向（基板２２１の長手方向）に沿って一列に実装されている。
【００２０】
また、一方（図３中の左側）の基板２２１の後端部には、電源装置２５との間を電気的に接続するためのコネクタ２２３が実装されている。このコネクタ２２３には電線（図示せず）が接続されており、この電線の端部を電源装置２５の出力端に接続することで基板２２１と電源装置２５との間が電気的に接続される。
【００２１】
さらに、各基板２２１において隣接する基板２２１と対向する端部には、電源供給用のコネクタ２２４がそれぞれ実装されている。そして、両基板２２１，２２１のコネクタ２２４，２２４を接続することで、一方（図３中の左側）の基板２２１から他方（図３中の右側）の基板２２１に点灯電力を供給することができる。
【００２２】
取付部材２１は、図３に示すように、板金に曲げ加工することでＵ字状に形成され、長尺且つ矩形板状に形成された底面部２１１と、底面部２１１の左右方向（幅方向）における両端から上向きに延長された一対の側面部２１２とで構成される。各側面部２１２の先端（上端）には、円管状に折り曲げることで形成された引掛部２１２０（図１参照）が全長に亘って設けられている。
【００２３】
底面部２１１の前後方向における両端には、基板２２１のコネクタ２２３に接続された上記電線を通すための孔２１１０が、底面部２１１の中心（重心）に対して点対称な位置にそれぞれ設けられている。なお、上述の基板２２１，２２１は、例えば取付部材２１の底面部２１１の一部を切り起こすことで形成された固定片（図示せず）により底面部２１１の下面に固定される。
【００２４】
第１カバー２３は、図３に示すように、長尺であって、拡散性を有する材料（例えば乳白色のアクリル樹脂）により上側（取付部材２１側）が開口する半円筒形状に形成されている。この第１カバー２３は、左右方向（幅方向）において両端から中央に近づくほど下側への突出量が大きくなるような凸レンズ形状の曲面部２３１を有している。
【００２５】
曲面部２３１の左右方向における両端には、上向きに突出する突壁部２３３がそれぞれ全長に亘って形成されており、各突壁部２３３の先端には、内向きに突出する突起部２３３０が設けられている。また、曲面部２３１の左右方向における両端には、突壁部２３３よりも外側に突出する突出部２３２がそれぞれ全長に亘って形成されている。
【００２６】
エンドカバー２４は、第１カバー２３と同じ拡散性を有する材料により半円板状に形成され、適宜の取付方法により第１カバー２３の前後方向（長手方向）における両端にそれぞれ取り付けられる。
【００２７】
第２カバー２６は、第１カバー２３と同じ拡散性を有する材料からなり、左右方向における両端から中央に近づくほど下側への突出量が大きくなるような凸レンズ形状の曲面部２６０を有している。曲面部２６０は、第１カバー２３の曲面部２３１と同じ曲率であって、曲面部２３１に対して外側から取付可能な相似形状に形成されている。また、曲面部２６０の左右方向における両端には、内向きに突出する引掛部２６１がそれぞれ一体に形成されている。なお、第２カバー２６の取付手順については後述する。
【００２８】
電源装置２５は、図３に示すように、電源回路部２５１と、電源回路部２５１を収納するためのケース２５２とを有する。電源回路部２５１は、前後方向に長い矩形板状に形成された基板２５１０を有し、基板２５１０の一面（下面）には、少なくともＬＥＤ２２２の点灯電力を生成するための回路部品（トランスやダイオード、コンデンサなど）２５１１が実装されている。
【００２９】
ケース２５２は、図３に示すように、一面（下面）が開口し且つ前後方向に長い矩形箱状に形成されており、開口側を取付部材２１の底面部２１１に対向させた状態で適宜の取付方法（例えばねじなど）により取付部材２１に取り付けられる。
【００３０】
次に、光源ユニット２の組立手順について説明する。まず最初に、作業者は、電源装置２５を取付部材２１の上面側に取り付け、さらにＬＥＤモジュール２２を上記固定片により取付部材２１の下面に固定する。その後、作業者は、ＬＥＤモジュール２２のコネクタ２２３に接続された上記電線を取付部材２１の底面部２１１に設けた孔２１１０に通し、その端部を電源装置２５の出力端に接続する。
【００３１】
さらに、作業者は、開口側を上向きにした状態で第１カバー２３を取付部材２１に取り付ける。このとき、第１カバー２３の各突壁部２３３に設けられた突起部２３３０が取付部材２１の各側面部２１２に設けられた引掛部２１２０に引っ掛かることで、第１カバー２３が取付部材２１に取り付けられる（図１参照）。またこのとき、第１カバー２３の曲面部２３１は、取付部材２１の底面部２１１に取り付けられた基板２２１と対向する。
【００３２】
そして最後に、作業者は、第１カバー２３の前後方向における両端にエンドカバー２４をそれぞれ取り付ける。以上のような手順に従って光源ユニット２が組み立てられる。
【００３３】
続けて、照明器具１０の施工手順について説明する。まず最初に、作業者は、天井裏に先行配線された電源線（図示せず）を器具本体１の孔１１１０に通す。さらに、作業者は、室内側に露出する吊ボルト（図示せず）を孔１１１１に通した後、吊ボルトにナット（図示せず）をねじ込んで器具本体１を天井材（図示せず）に固定する。
【００３４】
その後、作業者は、上記電源線を器具本体１に取り付けられた端子台（図示せず）に接続するととともに、端子台と電源装置２５の入力端との間を電線（図示せず）により接続する。そして最後に、作業者は、器具本体１及び取付部材２１にそれぞれ設けた取付構造（図示せず）によって光源ユニット２を器具本体１に取り付ける。以上のような手順に従って照明器具１０が天井材に取り付けられる（図４参照）。
【００３５】
次に、本発明の特徴部分について、図１及び図２を参照しながら具体的に説明する。
【００３６】
例えば、２つの照明器具１０，１０を前後方向（器具本体１の長手方向）に並べて設置すると、図２（ａ）に示すように、隣接する２つの第１カバー２３，２３間に隙間１００が生じる。この状態でＬＥＤモジュール２２を点灯させると、隙間１００に第１カバー２３がないことから、第１カバー２３がある部分に比べて隙間１００が暗くなってしまう。
【００３７】
本実施形態では、上記問題を解決するために、隙間１００を塞ぐようにして隣接する第１カバー２３，２３間に跨って取り付けられる第２カバー２６を備えている。第２カバー２６は、図２（ａ）に示すように、曲面部２６０の内側面を隙間１００に対向させた状態で近づけ、引掛部２６１，２６１を第１カバー２３の突出部２３２，２３２にそれぞれ引っ掛けることで、第１カバー２３に取り付けられる（図２（ｂ）参照）。
【００３８】
このとき、第２カバー２６の曲面部２６０は、図１及び図２（ｂ）に示すように、第１カバー２３の曲面部２３１に沿って配置される。またこのとき、第２カバー２６の曲面部２６０は、前後方向（第１カバー２３の長手方向）において第１カバー２３の曲面部２３１の一部と重なっている。
【００３９】
第２カバー２６により隙間１００を塞いだ状態では、ＬＥＤモジュール２２から放射される光が曲面部２６０を通して照明空間側（下側）に照射され、これにより隙間１００に生じる暗がりを低減することができる。その結果、照明器具１０を含めた空間全体の意匠性が低下するのを抑えることができる。
【００４０】
また、隙間１００を塞ぐように隣接する第１カバー２３，２３間に第２カバー２６を取り付けることで、２つの光源ユニット２，２を１つの連続した光源とすることができる。その結果、外観の意匠性を高めることができるとともに、光の連続性を実現することができる。
【００４１】
ところで、隣接する第１カバー２３，２３間に第２カバー２６を取り付けた状態では、第１カバー２３の曲面部２３１と第２カバー２６の曲面部２６０とが一部重なっている。そのため、第１カバー２３と第２カバー２６とが重なる部分については透過率が低下し、この部分を通して照明空間側に照射される光が減少することになる。
【００４２】
したがって、少なくとも第１カバー２３と第２カバー２６とが重なる部分については、第２カバー２６の透過率を第１カバー２３よりも高くするのが好ましい。これにより、第１カバー２３と第２カバー２６の透過率が同じ場合に比べて、照明空間側に照射される光の減少量を抑えることができる。
【００４３】
なお、第２カバー２６において第１カバー２３に重なる両端とそれ以外とで透過率を異ならせるためには、例えば第２カバー２６の両端を透明、それ以外を乳白色とする二色成形により第２カバー２６を成形すればよい。また、第２カバー２６の両端の厚みを薄く、それ以外の厚みを厚くすることで、第２カバー２６の両端とそれ以外の透過率を異ならせてもよい。
【００４４】
また、第２カバー２６は、第１カバー２３よりも撓みやすい材料により形成するのが好ましく、これにより第１カバー２３に対する第２カバー２６の取付性が向上する。
【００４５】
なお、本実施形態では、第２カバー２６において少なくとも第１カバー２３と重なる部位の透過率を第１カバー２３より高くしたが、第２カバー２６全体の透過率を第１カバー２３より高くしてもよく、本実施形態に限定されない。
【００４６】
本実施形態の光源ユニット２は、基板２２１と、取付部材２１と、第１カバー２３と、第２カバー２６とを備える。この光源ユニット２は、長尺に形成された器具本体１の長手方向と同じ方向を長手方向とし、且つ器具本体１の幅方向と同じ方向を幅方向とした状態で器具本体１に取り付けられる。基板２２１は、１乃至複数のＬＥＤ２２２（発光素子）が実装される。取付部材２１は、長尺に形成され、且つ基板２２１が取り付けられる。第１カバー２３は、透光性材料により長尺に形成され、且つ基板２２１を覆うようにして取付部材２１に取り付けられる。第２カバー２６は、透光性材料により第１カバー２３に取付可能な相似形状に形成され、且つ第１カバー２３の長手方向における端部に着脱自在に取り付けられる。第１カバー２３は、幅方向において取付部材２１よりも外側に突出する突出部２３２を有している。第２カバー２６は、第１カバー２３に取り付けられた状態で突出部２３２に引っ掛けられる引掛部２６１を有している。
【００４７】
本実施形態の光源ユニット２のように、第２カバー２６は、少なくとも第１カバー２３と重なる部位の透過率が第１カバー２３の透過率よりも高くなっているのが好ましい。
【００４８】
本実施形態の光源ユニット２のように、第２カバー２６は、第１カバー２３よりも撓みやすい材料により形成されているのが好ましい。
【００４９】
本実施形態の照明器具１０は、光源ユニット２と、器具本体１とを備えている。
【符号の説明】
【００５０】
２１  取付部材
２３  第１カバー
２６  第２カバー
２２１  基板
２３２  突出部
２６１  引掛部
【図１】
2015176747.tif 000003
【図２】
2015176747.tif 000004
【図３】
2015176747.tif 000005
【図４】
2015176747.tif 000006